(57)【要約】      （修正有）【課題】合成樹脂製の糸によりスクリーンを織成して、ＵＶ遮蔽率を十分に確保しつつ簾に近い通気性を得ることができるサンシェードを提供する。【解決手段】建家に開口する開口部をスクリーンによって外方から覆う掛け簾状のサンシェードを前提とする。スクリーンを、ポリエチレン樹脂よりなる平たいテープ状の糸を緯糸３１及び経糸３２，３３として用いたラッセル織りにより、経糸３２，３３同士を表裏方向で一部重ね合わせた状態で挿入可能とする鎖状の織目３４を複数列の緯糸３１に形成する。更に、スクリーン１０の各列の緯糸３１の互いに横方向で対応する８つの織目毎の単一の織目３４によって通風可能な隙間３０を構成し、８０％以上のＵＶ遮蔽率でかつ２２０ｃｍ3／ｃｍ２・ｓｅｃ以上の通気性を得る。【選択図】図７
0003189430.tif 000002
【実用新案登録請求の範囲】
【請求項１】
建家に開口する開口部をスクリーンによって前記建家の外方から覆うようにした掛け簾状のサンシェードであって、
前記スクリーンは、ＵＶ遮蔽率が８０％以上でかつ通気性が２２０ｃｍ3／ｃｍ2・ｓｅｃ以上得られるように、合成樹脂よりなる平たいテープ状の糸をラッセル織りして上下方向の予め設定された間隔おきに通風可能な隙間を有して織成されていることを特徴とするサンシェード。
【請求項２】
前記糸は、前記スクリーンを織成する際に複数列の緯糸及び複数の経糸として用いられ、
前記複数列の緯糸は、前記複数の経糸同士を表裏方向で一部重ね合わせた状態で挿入可能とする、上下方向に連なる鎖状の織目を形成し、
前記複数の経糸は、それぞれ複数列離れた緯糸間において当該両列の緯糸の織目に対し上下に織目１つ分の段差を付けて一方の緯糸の下側の織目と他方の緯糸の上側の織目とに対し単数毎に絡ませたうえで往復されるとともに、前記隙間に対応する緯糸の織目に沿って単数毎に織目を形成したのちに当該織目の上側に隣接する緯糸の織目に絡ませたうえで往復されている請求項１に記載のサンシェード。
【請求項３】
前記緯糸の織目には、２本の経糸同士が表裏方向で一部重ね合わさった状態で挿入され、前記２本の経糸が、３列離れた緯糸間で往復されている請求項２に記載のサンシェード。
【請求項４】
前記複数列の緯糸のうち、予め設定された間隔置きの緯糸は、掛け簾を編み連ねる糸を表わすように、他の緯糸とは色を異ならせている請求項２又は請求項３に記載のサンシェード。
【考案の詳細な説明】
【技術分野】
【０００１】
本考案は、建家に開口する開口部をスクリーンによって建家の外方から覆うようにした掛け簾状のサンシェードに関する。
【背景技術】
【０００２】
従来より、サンシェードとしては、開口部の上縁において上端が支持されたスクリーンを下方へ垂らして開口部を建家の外方から覆うようにしたものが知られている（特許文献１参照）。このスクリーンは、合成樹脂製の不織布よりなり、直径が１ｍｍ〜１．５ｍｍで、ピッチが８ｍｍ〜１２ｍｍの多数の通気孔を有している。
【先行技術文献】
【特許文献】
【０００３】
【特許文献１】実用新案登録第３１７０１１４号公報
【考案の概要】
【考案が解決しようとする課題】
【０００４】
ところで、日本古来より、建家の外方から開口部を覆うために、糸で竹やよしを編み連ねた簾がある。この簾は、視界を確保しつつ遮光性を備えている上、通気性を備えており、現在も人気が高く広く愛用されている。このような簾では、ＵＶ遮蔽率が６０％程度しかないものの、通気性が３００ｃｍ3／ｃｍ2・ｓｅｃ程度確保されている。
【０００５】
これに対し、前記従来のものでは、スクリーン自体が合成樹脂製の不織布よりなるため、ＵＶ遮蔽率が８０％程度確保されてはいるものの、通気性については、スクリーンに開口する多数の通気孔のみに依存される。しかし、多数の通気孔の直径が１ｍｍ〜１．５ｍｍで、ピッチが８ｍｍ〜１２ｍｍであるため、通気孔のみでは簾に近い通気性が得られるはずもなく、その対策が切望されていた。
【０００６】
本考案は、かかる点に鑑みてなされたものであり、その目的とするところは、合成樹脂製の糸によりスクリーンを織成して、ＵＶ遮蔽率を十分に確保しつつ簾に近い通気性を得ることができるサンシェードを提供することにある。
【課題を解決するための手段】
【０００７】
上記目的を達成するため、本考案では、建家に開口する開口部をスクリーンによって前記建家の外方から覆うようにした掛け簾状のサンシェードを前提とする。そして、前記スクリーンは、ＵＶ遮蔽率が８０％以上でかつ通気性が２２０ｃｍ3／ｃｍ2・ｓｅｃ以上得られるように、合成樹脂よりなる平たいテープ状の糸をラッセル織りして上下方向の予め設定された間隔おきに通風可能な隙間を有して織成されていることを特徴としている。
【０００８】
また、前記糸を、前記スクリーンを織成する際に複数列の緯糸及び複数の経糸として用い、前記複数列の緯糸に、前記複数の経糸同士を表裏方向で一部重ね合わせた状態で挿入可能とする、上下方向に連なる鎖状の織目を形成する。更に、前記複数の経糸は、それぞれ複数列離れた緯糸間において当該両列の緯糸の織目に対し上下に織目１つ分の段差を付けて一方の緯糸の下側の織目と他方の緯糸の上側の織目とに対し単数毎に絡ませたうえで往復させるとともに、前記隙間に対応する緯糸の織目に沿って単数毎に織目を形成したのちに当該織目の上側に隣接する緯糸の織目に絡ませたうえで往復させることがこのましい。
【０００９】
前記緯糸の織目に、２本の経糸同士を表裏方向で一部重ね合わせた状態で挿入し、前記２本の経糸を、３列離れた緯糸間で往復させることがこのましい。
【００１０】
更に、前記複数列の緯糸のうち、予め設定された間隔置きの緯糸は、掛け簾を編み連ねる糸を表わすように、他の緯糸とは色を異ならせることがこのましい。
【考案の効果】
【００１１】
以上、要するに、ＵＶ遮蔽率が８０％以上でかつ通気性が２２０ｃｍ3／ｃｍ2・ｓｅｃ以上得られるように、合成樹脂よりなる平たいテープ状の糸をラッセル織りしてスクリーンを織成することで、日差しが透過し難くなって８０％以上のＵＶ遮蔽率を確保することができる。その上、スクリーンの上下方向の予め設定された間隔おきに通風可能な隙間に加えて、合成樹脂製の平たいテープ状の糸をラッセル織りした際の糸同士の空隙からの通風も可能となって、簾に近い通気性を得ることができる。
【００１２】
また、複数の経糸同士を表裏方向で一部重ね合わせた状態で挿入可能とする鎖状の織目を複数列の緯糸に形成することで、ラッセル織りによって日差しが透過し難いスクリーンを容易に構成することができる。しかも、複数の経糸を、それぞれ複数列離れた緯糸間において当該両列の緯糸の織目に対し上下に織目１つ分の段差を付けて一方の緯糸の下側の織目と他方の緯糸の上側の織目とに対し単数毎に絡ませたうえで往復させることで、複数の経糸同士の表裏方向での重なり合いが緩和され、経糸同士の空隙によって簾により近い通気性を得ることができる。更に、隙間に対応する緯糸の織目に沿って織目を形成したのちに当該織目の上側の緯糸の織目に絡ませたうえで往復させることで、隙間に対応する緯糸の織目に経糸が挿通されることがなく、隙間に対応する緯糸の織目の上下方向の長さが、経糸を挿入させる他の織目に比して長くなり、隙間の上下方向の長さを効率よく確保することができる。
【００１３】
また、緯糸の織目に２本の経糸同士を表裏方向で一部重ね合わせた状態で挿入し、それぞれの経糸を３列離れた緯糸間で往復させることで、３列離れた緯糸間での２本の経糸同士の重なり合いがより緩和され、経糸同士の空隙によって簾にさらに近い通気性を得ることができる。
【００１４】
更に、複数列の緯糸のうちの予め設定された間隔置きの緯糸を他の緯糸とは色を異ならせて、掛け簾を編み連ねる糸を表わすようにすることで、掛け簾の趣を表現することができる。
【図面の簡単な説明】
【００１５】
【図１】本考案の実施の形態に係るサンシェードを窓枠の上縁部に吊した状態での斜視図である。
【図２】図１のサンシェードの止着具の縦断面図である。
【図３】上側の止着具の一部分の斜視図である。
【図４】下側の止着具の左右両端に装着されるキャップを上方から見た平面図である。
【図５】図１のサンシェードのスクリーンの一部を拡大した状態で正面から見た拡大写真である。
【図６】図５のスクリーンの一部をさらに拡大した状態での拡大写真である。
【図７】図６のスクリーンの一部での緯糸と経糸とによる織成状態を概略的に示す織成図である。
【考案を実施するための形態】
【００１６】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１７】
図１は本考案の実施の形態に係るサンシェードを窓枠の上縁部に吊した状態での斜視図、図２はサンシェードの止着具の縦断面図をそれぞれ示している。
【００１８】
図１において、１は本考案の実施の形態に係るサンシェードであって、このサンシェード１は、建家Ａに開口する開口部としての窓枠Ａ１の上縁Ａ２に上端が取り付けられて下方へ垂下している。サンシェード１は、窓枠Ａ１を外方から覆う略矩形状のスクリーン１０と、このスクリーン１０の上下両端にそれぞれ取り付けられ、当該スクリーン１０とほぼ同幅に形成された断面略円環形状の止着具１１，１２とを備えている。
【００１９】
止着具１１，１２は、アルミニウムの押出成形により形成され、図２に示すように、互いに周方向へ９０°隔てた位置において断面を周方向へ２分割する分割片１３を一体的に備えている。この分割片１３は、止着具１１，１２の幅方向（図１では左右方向）全域に亘って連続して設けられている。また、止着具１１，１２は、分割片１３から互いに周方向へ９０°隔てた位置において幅方向全域に亘って連続するスリット１４，１４を有し、分割片１３とによって断面略異形Ｈ字状を呈している。
【００２０】
図３は上側の止着具１１の一部分の斜視図を示している。この図３において、スクリーン１０の上端の止着具１１の両端には、キャップ１５が装着されている。このキャップ１５は、止着具１１の幅方向両端に嵌め込まれるキャップ本体１６と、このキャップ本体１６の内側面（止着具１１側）より突出し、分割片１３の表裏両面から嵌合する二股状の突片１７と、上側に位置するスリット１４に沿って摺動し、窓枠Ａ１の上縁Ａ２に設けられたフックＡ３に係止されるリング状の係止具１８を上端部に有するスライダ１９とを備えている。
【００２１】
図４は下側の止着具１２の左右両端に装着されるキャップを上方から見た平面図を示している。この図４において、スクリーン１０の下端の止着具１２の両端には、キャップ２１が装着されている。このキャップ２１は、止着具１２よりも大径に形成された鍔部２２と、鍔部２２の内側面（止着具１２側）より突出し、分割片１３により分割された止着具１２の内周面にそれぞれ嵌入される断面略半円弧状の突出片２７，２７と、鍔部２２の外側面（反止着具１２側）に取り付けられ、窓枠Ａ１の下方に設けられたフックなどの振れ止め具（図示せず）に係止されるリング状の係止具２３とを備えている。
【００２２】
また、スクリーン１０の上下両端には、当該スクリーン１０のほぼ幅方向全域に亘って延びる略円柱形状の芯材２５（図２では上端のもののみ示す）が固着されている。そして、スクリーン１０の上下両端は、分割片１３により２分割された止着具１１，１２の一方の空間２０に芯材２５が側方の開口端から挿通されるように当該一方の空間２０のスリット１４を介して挿し入れられ、止着具１１，１２に対する止着がなされている。
【００２３】
図５はサンシェード１のスクリーン１０の一部を拡大した状態で正面から見た拡大写真、図６はスクリーン１０の一部をさらに拡大した状態での拡大写真、図７はスクリーン１０の一部での緯糸と経糸とによる織成状態を概略的に示す織成図をそれぞれ示している。
【００２４】
図５及び図６に示すように、スクリーン１０は、ポリエチレン樹脂よりなる平たいテープ状の糸をラッセル織りして上下方向の予め設定された間隔おきに通風可能な隙間３０を有して織成されている。この糸は、スクリーン１０を織成する際に複数列の緯糸３１，３６及び２種類の互いに色の異なる経糸３２，３３として用いられる。この緯糸３１，３６及び経糸３２，３３は、共に同じ厚さで、同じ幅（例えば１．２ｍｍ）に設定されている。そして、図７に示すように、複数列の緯糸３１，３６には、２種類の経糸３２，３３同士を表裏方向で一部重ね合わせた状態で挿入可能とする、上下方向に連なる鎖状の織目３４が設けられている。この図７では、複数列の緯糸３１，３６及び２種類の経糸３２，３３による織成状態を分かり易く説明する上で、緯糸３１，３６及び２種類の経糸３２，３３の形状を便宜上断面円形状のものに置換している。
【００２５】
２種類の経糸３２，３３は、それぞれ３列離れた緯糸３１，３１（又は３１，３６）間において当該両列の緯糸３１，３１（又は３１，３６）の織目３４同士に上下に織目１つ分の段差を付けて一方の緯糸３１（又は３６）の下側の織目３４の上端位置と他方の緯糸３１（又は３６）の上側の織目３４の上端位置とに対し単一の種類毎に絡ませたうえで往復させている。このとき、経糸３２，３３は、各列の緯糸３１，３６の織目３４の上端位置に対しその上側に連続する織目３４に沿って緯糸３１，３６と共に織目３５を形成したのちに、当該各列の緯糸３１，３６の下側の織目３４の上端位置から導出されて折り返えされる。また、２種類の経糸３２，３３は、隙間３０に対応する緯糸３１，３６の織目３４に対しその上側に隣接する織目３４に跨って緯糸３１，３６と共に上下２つの織目３５を形成したのちに、当該隙間３０に対応する緯糸３１，３６の下側の織目３４の上端位置から導出されて折り返えされる。
【００２６】
隙間３０は、各列の緯糸３１，３６の互いに横方向で対応する単一の織目３４によって構成されている。この隙間３０は、緯糸３１，３６の８つの織目毎の単一の編目３４によって構成され、当該各織目３４に対する経糸３２，３３の挿入が禁止されている。
【００２７】
更に、複数列の緯糸３１，３６のうち、予め設定された１５列おきの緯糸３６としては、掛け簾を編み連ねる糸を表わすように黒色が用いられ、他の緯糸３１に用いられる茶色とは色を異ならせている。
【００２８】
ここで、スクリーン１０の２つの試験片を用いた品質試験の結果について述べる。この品質試験結果は、一般財団法人ボーケン品質評価機構の生活用品試験センターより２０１３年７月１２日に報告された品質試験報告書に基づくものである。
【００２９】
先ず、遮光性試験では、試験方法として、
ＪＩＳ Ｌ １０５５：２００９ Ａ法により、光源照度：１００００Ｌｘの条件で行った。
その結果、スクリーン１０の一方の試験片では、７８．２６％の遮光性が得られ、他方の試験片では、８２．０６％の遮光性が得られた。
【００３０】
また、引張強さ及び伸び率試験では、試験方法として、
ＪＩＳ Ｌ １０９６：２０１０ ストリップ法により、定速緊張形引張試験機を用いて、引張速度：２０ｃｍ／分の条件で行った。
その結果、スクリーン１０の一方の試験片では、縦方向及び横方向での強力が３３３Ｎ及び４５７Ｎであり、縦方向及び横方向での伸び率が４７．０％および６０．６％であった。他方の試験片では、縦方向及び横方向での強力が３２６Ｎ及び４２４Ｎであり、縦方向及び横方向での伸び率が４２％および６６．８％であった。
【００３１】
また、通気性の試験では、試験方法として、
ＪＩＳ Ｌ １０９６：２０１０ フラジール形法により行った。
その結果、スクリーン１０の一方の試験片では、２２０．７ｃｍ3／ｃｍ2・ｓｅｃの通気性が得られ、他方の試験片では、２２９．４ｃｍ3／ｃｍ2・ｓｅｃの通気性が得られた。
【００３２】
更に、ＵＶ遮蔽率試験では、試験方法として、
紫外線ランプ法により、紫外線ランプ：フナコシＦ−１００Ｚを使用し、測定波長域：３００〜４００ｎｍでブルーフィルターを使用して行った。また、紫外線センサーとして英弘精機株式会社のものを用いた。
その結果、スクリーン１０の一方の試験片では８２．９％のＵＶ遮蔽率が得られ、他方の試験片では８５．８％のＵＶ遮蔽率が得られた。
【００３３】
したがって、本実施の形態では、ポリエチレン樹脂よりなる平たいテープ状の糸を緯糸３１，３６及び経糸３２，３３として用い、ラッセル織りにより経糸３２，３３同士を表裏方向で一部重ね合わせた状態で挿入可能とする鎖状の織目３４が複数列の緯糸３１，３６に形成されているので、スクリーン１０に日差しが透過し難くなって８２．９％〜８５．８％のＵＶ遮蔽率を確保することができる。その上、スクリーン１０の各列の緯糸３１，３６の互いに横方向で対応する８つの織目毎の単一の編目３４によって通風可能な隙間３０が構成され、これに加えてスクリーン１０の経糸３２，３３同士の空隙からも通風可能となるので、簾に近い２２０．７ｃｍ3／ｃｍ2・ｓｅｃ〜２２９．４ｃｍ3／ｃｍ2・ｓｅｃの通気性を得ることができる。
【００３４】
しかも、隙間３０に対応する織目３４に対して経糸３２，３３の挿入が禁止されているので、隙間３０に対応する織目３４の上下方向の長さが、経糸３２，３３を挿入させる他の織目３４に比して長くなり、隙間３０の上下方向の長さを効率よく確保することができる。
【００３５】
また、緯糸３１，３６の織目３４に２本の経糸３２，３３同士を表裏方向で一部重ね合わせた状態で挿入し、それぞれの経糸３２，３３が３列離れた緯糸３１，３１間で往復されるので、３列離れた緯糸３１，３１間での２本の経糸３２，３３同士の重なり合いがより緩和され、経糸３２，３３同士の空隙によって簾に近い通気性を得る上で非常に有利なものとなる。
【００３６】
更に、複数列の緯糸３１，３６のうちの１５列おきの緯糸３６は、掛け簾を編み連ねる糸を表わすように黒色を用い、他の緯糸３１に用いられる茶色とは色を異ならせているので、掛け簾の趣を表現することができる。
【００３７】
なお、本考案は、前記実施の形態に限定されるものではなく、その他種々の変形例を包含している。例えば、前記実施の形態では、２種類の色の異なる経糸３２，３３を用いたが、単一種類又は３種類以上の互いに色の異なる経糸が用いられていてもよい。また、緯糸も経糸と同色であってもよい。
【００３８】
また、前記実施の形態では、止着具１１，１２をアルミニウムの押出成形により形成したが、プラスチックなどの合成樹脂の押出成形により止着具が形成されていてもよい。
【００３９】
また、前記実施の形態では、緯糸３１，３６の織目３４に２本の経糸３２，３３を挿入したが、緯糸の織目に３本以上の経糸が互いの表裏面を重ね合わせた状態で挿入されていてもよい。更に、前記実施の形態では、２本の経糸３２，３３を３列離れた緯糸３１，３１間で往復させたが、複数の経糸が２列又は４列離れた緯糸間で絡ませたうえで往復されていてもよい。
【００４０】
また、前記実施の形態では、隙間３０を、各列の緯糸３１，３６の互いに横方向で対応する８つの織目３４毎の単一の織目３４によって構成したが、各列の緯糸の互いに横方向で対応する８つ未満又は９つ以上の織目毎の単一の織目や複数の織目によって隙間が構成されていてもよい。
【００４１】
また、前記実施の形態では、緯糸３１，３６の織目３４に対しその上側に連続する織目３４に沿って緯糸３１，３６と共に経糸３２，３３に織目３５を形成したのちに緯糸３１，３６の下側の織目の上端位置から経糸３２，３３を導出させて折り返したが、緯糸の織目に対しその上側に連続する織目に沿って緯糸と共に経糸に織目を形成する必要はなく、経糸の下側の織目の上端位置に絡ませて経糸が折り返されていてもよい。
【００４２】
更に、前記実施の形態では、ポリエチレン樹脂よりなる平たいテープ状の糸を緯糸３１，３６及び経糸３２，３３として用いたが、ポリ塩化ビニル、ポリ塩化ビニリデン、ポリビニルアルコール、ポリスチレン、スチレン・アクリロニトリル共重合体、スチレン・ブタジエン・アクリロニトリル共重合体、エチレン・酢酸ビニル共重合体、ポリプロピレン(非変性)、ポリアセタール、ポリメチルメタクリレート、酢酸セルローズ、ポリカーボネイト、ポリエチレンテレフタレート(ポリエステルシート)、ポリウレタン、三フッ化塩化エチレン、四フッ化エチレン、四フッ化エチレン・六フッ化プロピレン共重合、四フッ化エチレン・パーフルオロアルコキシエチレン共重合、四フッ化エチレンエチレン共重合、フッ化ビニリデン等の熱可塑性樹脂よりなる平たいテープ状の糸が緯糸及び経糸として用いられていてもよい。その場合、糸の作成時に紫外線散乱剤、紫外線吸収剤等を必要に応じて混入してＵＶ遮蔽率を最適値にコントロールすることも可能である。
【００４３】
また、前記実施の形態では、緯糸３１，３６及び経糸３２，３３を、共に同じ幅（例えば１．２ｍｍ）に設定したが、これに限定されるものではなく、緯糸及び経糸が１ｍｍ〜２ｍｍ程度の幅に設定されていればよい。
【００４４】
また、前記実施の形態では、緯糸３１，３６及び経糸３２，３３の色をそれぞれ異ならせたが、緯糸及び経糸が全て同じ色であってもよい。
【符号の説明】
【００４５】
１          サンシェード
１０        スクリーン
３０        隙間
３１，３６  緯糸
３２，３３  経糸
３４        緯糸の織目
３５        経糸の織目
Ａ          建家
Ａ１        窓枠（開口部）
【図１】
0003189430.tif 000003
【図２】
0003189430.tif 000004
【図３】
0003189430.tif 000005
【図４】
0003189430.tif 000006
【図７】
0003189430.tif 000007
【図５】
0003189430.tif 000008
【図６】
0003189430.tif 000009